(57)【要約】  直線状に配列された複数の永久磁石からなる磁石列および前記磁石列の両側において可動部を支持および案内するために該磁石列と並行に配置される２本のレールを備える固定部と、前記２本のレールにそれぞれ支持され摺接して滑動できる２個のベアリングおよび前記２個のベアリングの間において前記磁石列と近接して対向配置される電機子を備える可動部とで構成されるリニアモータを駆動するリニアモータ駆動装置において、前記電機子のコイルに供給するｄ軸電流およびｑ軸電流を生成制御する電流制御回路におけるｄ軸電流制御回路は、生成するｄ軸電流を変化させて前記レールと前記ベアリングとの間に生ずる摩擦力を制御する構成を備える。
2012127687.tif 000002
【特許請求の範囲】
【請求項１】
直線状に配列された複数の永久磁石からなる磁石列および前記磁石列の両側において可動部を支持および案内するために該磁石列と並行に配置される２本のレールを備える固定部と、前記２本のレールにそれぞれ支持され摺接して滑動できる２個のベアリングおよび前記２個のベアリングの間において前記磁石列と近接して対向配置される電機子を備える可動部とで構成されるリニアモータを駆動するリニアモータ駆動装置において、
前記電機子のコイルに供給するｄ軸電流およびｑ軸電流を生成制御する電流制御回路におけるｄ軸電流制御回路は、
生成するｄ軸電流を変化させて前記レールと前記ベアリングとの間に生ずる摩擦力を制御する構成
を備えることを特徴とするリニアモータ駆動装置。
【請求項２】
前記ｄ軸電流制御回路は、
前記可動部を目標位置へ移動させる場合の加減速時に、生成するｄ軸電流を変化させて前記摩擦力を制御する
ことを特徴とする請求項１に記載のリニアモータ駆動装置。
【請求項３】
前記ｄ軸電流制御回路は、
前記可動部を目標位置へ移動させる場合の加速時では、生成するｄ軸電流を前記摩擦力を減少させる方向へ変化させる
ことを特徴とする請求項２に記載のリニアモータ駆動装置。
【請求項４】
前記ｄ軸電流制御回路は、
前記可動部を目標位置へ移動させる場合の減速時では、生成するｄ軸電流を前記摩擦力を増加させる方向へ変化させる
ことを特徴とする請求項２に記載のリニアモータ駆動装置。
【発明の詳細な説明】
【技術分野】
【０００１】
本発明は、リニアモータ駆動装置に関するものである。
【背景技術】
【０００２】
リニアモータの停止位置（移動距離）を制御する構成として、推力を発生させるためのコイルおよび磁石のほかに、磁気吸引力による摩擦力を増減させるためのコイルおよび磁石を設ける構成が知られている（例えば、特許文献１）。【０００３】
一方、回転モータの停止制御では、ｄ軸電流制御によりブレーキトルクを発生させて減速させる方法が用いられている（例えば、特許文献２）。
【先行技術文献】
【特許文献】
【０００４】
【特許文献１】特開平１１−１２２９０２号公報
【特許文献２】特開２００３−８８１６８号公報
【発明の概要】
【発明が解決しようとする課題】
【０００５】
推力発生用のコイルおよび磁石とは別に、磁気吸引力による摩擦力を増減させるためのコイルおよび磁石を設ける構成では、停止位置（移動距離）を制御するための構成が複雑になる。【０００６】
ところが、リニアモータの駆動制御でも、回転モータと同様のベクトル制御が用いられるので、リニアモータにおいてもｄ軸電流制御を行って磁気吸引力による摩擦力を増減することで、停止位置制御（移動距離制御）が行えれば、構成の簡素化が図れる。【０００７】
本発明は、上記に鑑みてなされたものであり、ｄ軸電流制御を行って磁気吸引力による摩擦力を増減することができるリニアモータ駆動装置を得ることを目的とする。
【課題を解決するための手段】
【０００８】
上述した課題を解決し、目的を達成するために、本発明は、直線状に配列された複数の永久磁石からなる磁石列および前記磁石列の両側において可動部を支持および案内するために該磁石列と並行に配置される２本のレールを備える固定部と、前記２本のレールにそれぞれ支持され摺接して滑動できる２個のベアリングおよび前記２個のベアリングの間において前記磁石列と近接して対向配置される電機子を備える可動部とで構成されるリニアモータを駆動するリニアモータ駆動装置において、前記電機子のコイルに供給するｄ軸電流およびｑ軸電流を生成制御する電流制御回路におけるｄ軸電流制御回路は、生成するｄ軸電流を変化させて前記レールと前記ベアリングとの間に生ずる摩擦力を制御する構成を備えることを特徴とする。
【発明の効果】
【０００９】
本発明によれば、推力発生用のコイルおよび磁石とは別に、磁気吸引力による摩擦力を増減させるためのコイルおよび磁石を設けることなく、ｄ軸電流制御を行って磁気吸引力による摩擦力を増減することができる。したがって、リニアモータ構成の簡素化を図ることができるという効果を奏する。
【図面の簡単な説明】
【００１０】
【図１】図１は、本発明の一実施例によるリニアモータの外観構成を示す斜視図である。
【図２】図２は、Ｙ軸方向断面図である。
【図３】図３は、図１に示すリニアモータを駆動するリニアモータ駆動装置の構成例を示すブロック図である。
【図４】図４は、図１に示すリニアモータの速度特性を示す波形図である。
【発明を実施するための形態】
【００１１】
以下に、本発明にかかるリニアモータ駆動装置の実施例を図面に基づいて詳細に説明する。なお、この実施例によりこの発明が限定されるものではない。
【実施例】
【００１２】
図１および図２は、本発明の一実施例によるリニアモータの外観構成を示す斜視図およびＹ軸方向断面図である。両図において、リニアモータ１００は、固定部１と、固定部１上にＸ軸方向へ移動可能に配置される可動部２とで構成される。【００１３】
固定部１は、Ｘ軸方向に長尺なベース１３上に形成されている。すなわち、ベース１３上にＸ軸方向へ短冊板状の取付座１２が固定され、取付座１２上に複数の永久磁石１１がＸ軸方向へ等間隔で固定配置されている。取付座１２の短手方向（Ｙ軸方向）の両側におけるベース１３上には、２本のレール３１がそれぞれＸ軸方向に並行して固定配置されている。そして、一方のレール３１の外側におけるベース１３上には、スケール４１がＸ軸方向に並行して固定配置されている。スケール４１には、位置情報が光学的もしくは磁気的に記録されている。【００１４】
可動部２は、天板２４に取り付けられている。天板２４は、長手幅が２本のレール３１の間隔よりも長くなっていて、その両端側の下面に、２本のレール３１とそれぞれ摺接する２個のベアリング３２が固定されている。これによって、２個のベアリング３２が２本のレール３１に支持された状態で２本のレール３１上を滑動することで、天板２４は、Ｘ軸方向へ移動できる。【００１５】
また、天板２４の下面において２個のベアリング３２の間に、永久磁石１１の配置位置の直上位置に、電機子の鉄心２３が固定されている。鉄心２３の外周囲には、電機子のコイル２１を収容した樹脂製のボビン２２が固定されている。なお、コイル２１の相数は３であるとしている。三相のコイル２１には、電源用リード線５１により、駆動装置のインバータ９５（図３参照）から三相の交流電流が供給される。これによって、三相のコイル２１に電流が流れることにより鉄心２３に形成される磁気回路による磁束と永久磁石１１が作る磁束との相互作用により、鉄心２３と永久磁石１１との間に、鉄心２３側から永久磁石１１側へ向かう磁気吸引力６２と、図示しないＸ軸方向へ向かう推力とが生ずる。磁気吸引力６２によって、レール３１とベアリング３２との間に摩擦力が推力の方向とは逆向きに発生することが解る。【００１６】
そして、スケール４１側における天板２４の側端には、位置検出器４２がスケール４１と対向するように、位置検出器結合部材４３により取り付けられている。位置検出器４２には、検出した位置信号を駆動装置へ伝達するための位置検出器用リード線５２が接続されている。【００１７】
図３は、図１に示すリニアモータを駆動するリニアモータ駆動装置の構成例を示すブロック図である。図３において、リニアモータ駆動装置９０は、加減算回路９１，９３と、位置制御回路９２と、速度制御回路９４と、電流制御回路９５と、二相／三相変換回路９６と、インバータ９７と、微分回路９８と、電流検出器９９とを備えている。電流検出器９９は、インバータ９７の出力端に取り付けられ、検出した出力電流は、電流制御回路９５に入力される。電流制御回路９５は、ｄ軸電流制御回路９５ａと、ｑ軸電流制御回路９５ｂとで構成される。また、位置検出器４２が検出したスケール４１上の位置情報は、加減算回路９１と、微分回路９８とに入力される。【００１８】
加減算回路９１は、外部から入力される目標位置の位置指令と位置検出器４２が検出したスケール４１上の現在位置との偏差を求める。位置制御回路９２は、加減算回路９１が求めた位置偏差から内部速度指令を算出する比例制御を行い、得られた内部速度指令を出力する。【００１９】
加減算回路９３は、位置制御回路９２が求めた内部速度指令と、微分回路９８が位置検出器４２からの位置情報を微分して求めたモータ速度との偏差を求める。速度制御回路９４は、加減算回路９３が求めた速度偏差について比例積分制御を行ってｄ軸電流指令およびｑ軸電流指令を算出し、算出したｄ軸電流指令およびｑ軸電流指令を電流制御回路９５へ出力する。【００２０】
電流制御回路９５では、ｄ軸電流制御回路９５ａにおいて入力されたｄ軸電流指令が指示するｄ軸電流を生成する動作が行われ、ｑ軸電流制御回路９５ｂにおいて入力されたｑ軸電流指令が指示するｑ軸電流を生成する動作が行われるが、ｄ軸電流制御回路９５ａおよびｑ軸電流制御回路９５ｂは、電流検出器９９が検出したモータ供給電流を参考にしてそれぞれの生成電流を制御する。【００２１】
二相／三相変換回路９６は、電流制御回路９５が出力するｄ軸およびｑ軸の電流ｉｄ，ｉｑとをｕｖｗの三相の交流電流ｉｕ，ｉｖ，ｉｖへ変換する。インバータ９７は、変換された三相の交流電流ｉｕ，ｉｖ，ｉｖを、それぞれＰＷＭ信号に変換・増幅し、三相のコイル２１に供給する。これによって、磁気吸引力６２およびＸ軸方向への推力が発生する。【００２２】
さて、可動部２と固定部１との間に働くマイナスＺ軸方向の磁気吸引力６２は、Ｆｍ［Ｎ］と表せば、透磁率μ［Ｈ／ｍ］、永久磁石１１が作る磁束φｍ［Ｗｂ］、ｄ軸インダクタンスＬｄ［Ｈ］、ｄ軸電流ｉｄ［Ａ］、固定部１と可動部２との磁路断面積Ｓ［ｍ２］を用いて、式（１）で与えられる。
Ｆｍ＝（Ｓ／２μ）｛（φｍ＋Ｌｄｉｄ）／Ｓ｝２    …（１）【００２３】
また、Ｘ軸方向への推力により可動部２がレール３１に案内されて移動する際に、ベアリング３２とレール３１との間に発生する摩擦力Ｆｆ［Ｎ］は、推力と逆向きのＸ方向に働くが、ベアリング３２とレール３１との間の動摩擦係数ｋ、ベアリング３２に働く垂直抗力Ｎ［Ｎ］を用いて式（２）で与えられる。
Ｆｆ＝ｋＮ    …（２）【００２４】
そして、垂直抗力Ｎは、可動部２の質量Ｍ［ｋｇ］、重力加速度ｇ［ｍ／ｓ２］、磁気吸引力Ｆｍ［Ｎ］を用いて式（３）で与えられる。
Ｎ＝Ｍｇ＋Ｆｍ    …（３）【００２５】
式（１）〜式（３）において、動摩擦係数ｋ、可動部２の質量Ｍ、透磁率μ、永久磁石１１の磁束φ、およびｄ軸インダクタンスＬｄは、既知である。したがって、磁気吸引力Ｆｍによる摩擦力Ｆｆは、ｄ軸電流ｉｄの制御によって、制御することができる。【００２６】
図４は、図１に示すリニアモータの速度特性を示す波形図である。図４において、目標位置までの移動時間８０は、加速時間８１と、等速時間８２と、減速時間８３とに分けられる。今までは、加速時間８１と減速時間８３とで、ベアリング３２とレール３１の間に同じ大きさの摩擦力を生じさせていた。【００２７】
本実施例では、ｄ軸電流制御回路９５ａが、電流検出器９９が検出したモータ電流を参照信号にして、加速時には摩擦力を減少させるように、減速時には摩擦力を増加させるように、ｄ軸電流を制御する。この制御は、加速時と減速時との両方で行ってもよく、片方で行ってもよい。これによって、加速時間８１と減速時間８３との両方または一方を今までよりも短くすることができるので、移動時間８０を短縮することが可能となる。【００２８】
このように、本実施によれば、特許文献１に示されるように、推力発生用のコイルおよび磁石とは別に、磁気吸引力による摩擦力を増減させるためのコイルおよび磁石を設けることなく、ｄ軸電流制御を行って磁気吸引力による摩擦力を増減することができるので、リニアモータ構成の簡素化が図れる。
【産業上の利用可能性】
【００２９】
以上のように、本発明にかかるリニアモータ駆動装置は、ｄ軸電流制御を行って磁気吸引力による摩擦力を増減することができるリニアモータ駆動装置として有用である。
【符号の説明】
【００３０】
１  固定部
２  可動部
１１  永久磁石
１２  取付座
１３  ベース
２１  コイル
２２  ボビン
２３  鉄心
２４  天板
３１  レール
３２  ベアリング
４１  スケール
４２  位置検出器
４３  位置検出器結合部材
５１  電源用リード線
５２  位置検出器用リード線
６２  磁気吸引力
８０  移動時間
８１  加速時間
８２  等速時間
８３  減速時間
９０  リニアモータ駆動装置
９１，９３  加減算回路
９２  位置制御回路
９４  速度制御回路
９５  電流制御回路
９５ａ  ｄ軸電流制御回路
９５ｂ  ｑ軸電流制御回路
９６  二相／三相変換回路
９７  インバータ
９８  微分回路
９９  電流検出器
１００  リニアモータ
【図１】
2012127687.tif 000003
【図２】
2012127687.tif 000004
【図３】
2012127687.tif 000005
【図４】
2012127687.tif 000006
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
直線状に配列された複数の永久磁石からなる磁石列および前記磁石列の両側において可動部を支持および案内するために該磁石列と並行に配置される２本のレールを備える固定部と、前記２本のレールにそれぞれ支持され摺接して滑動できる２個のベアリングおよび前記２個のベアリングの間において前記磁石列と近接して対向配置される電機子を備える可動部とで構成されるリニアモータを駆動するリニアモータ駆動装置において、
前記電機子のコイルに供給するｄ軸電流およびｑ軸電流を生成制御する電流制御回路におけるｄ軸電流制御回路は、
生成するｄ軸電流を変化させて前記レールと前記ベアリングとの間に生ずる摩擦力を制御する構成を備え、
前記可動部を目標位置へ移動させる場合の加減速時に、生成するｄ軸電流を変化させて前記摩擦力を制御する
ことを特徴とするリニアモータ駆動装置。
【請求項２】
前記ｄ軸電流制御回路は、
前記可動部を目標位置へ移動させる場合の加速時では、生成するｄ軸電流を前記摩擦力を減少させる方向へ変化させる
ことを特徴とする請求項１に記載のリニアモータ駆動装置。
【請求項３】
前記ｄ軸電流制御回路は、
前記可動部を目標位置へ移動させる場合の減速時では、生成するｄ軸電流を前記摩擦力を増加させる方向へ変化させる
ことを特徴とする請求項１に記載のリニアモータ駆動装置。
【手続補正２】
【補正対象書類名】明細書
【補正対象項目名】０００８
【補正方法】変更
【補正の内容】
【０００８】
上述した課題を解決し、目的を達成するために、本発明は、直線状に配列された複数の永久磁石からなる磁石列および前記磁石列の両側において可動部を支持および案内するために該磁石列と並行に配置される２本のレールを備える固定部と、前記２本のレールにそれぞれ支持され摺接して滑動できる２個のベアリングおよび前記２個のベアリングの間において前記磁石列と近接して対向配置される電機子を備える可動部とで構成されるリニアモータを駆動するリニアモータ駆動装置において、前記電機子のコイルに供給するｄ軸電流およびｑ軸電流を生成制御する電流制御回路におけるｄ軸電流制御回路は、生成するｄ軸電流を変化させて前記レールと前記ベアリングとの間に生ずる摩擦力を制御する構成を備え、前記可動部を目標位置へ移動させる場合の加減速時に、生成するｄ軸電流を変化させて前記摩擦力を制御することを特徴とする。
【国際調査報告】
2012127687.tif 000007
2012127687.tif 000008